(57)【要約】  パネル状音波生成器（１Ａ；１Ｂ；１０１）は一つ又は複数の平面プレート（２，３；１０２；１０３）を備えている。実施の一形態において、二つの平面プレート（２，３；１０２；１０３）は互いに所定の距離（Ｄ）を隔てて略平行に配置され、一方、音波生成器（１Ａ；１Ｂ；１０１）は、少なくとも一方のプレートを振動させる音響トランスデューサユニット（４；１１０Ａ）と、動きフィードバックユニット（１０：１１０Ｂ）とを更に有している。動きフィードバックユニット（１０；１１０Ｂ）は一体型のモーションセンサ（９）を備えており、モーションセンサ（９）は、第１のプレート（２；１０２）に対して機械的に結合された第１のセンサ部品（１１；１１１Ｂ）と、第２のプレート（３；１０３）に対して機械的に結合された第２のセンサ部品（１２；１１２Ｂ）とを備えている。特定の実施の形態においては、音波生成器がディスプレイ装置（１００）として実施される。この場合、フィードバック手段は、ディスプレイ装置の少なくとも一つの表示セル（１１０Ｂ）を備えている。
2007519292.tif 000002
【特許請求の範囲】
【請求項１】
少なくとも一つのプレートと、
前記プレートを振動させるための音響トランスデューサ手段と、
フィードバック信号を生成するとともに、前記プレートに対して機械的に結合された少なくとも一つのセンサ部品を有するモーションセンサを備えるフィードバック手段と、
を備えることを特徴とするパネル状音波生成器。
【請求項２】
前記少なくとも一つのプレートは、互いに所定距離を隔てて略平行に配置された第１のプレート及び第２のプレートを含み、
前記モーションセンサは、前記第１のプレートに対して機械的に結合された第１のセンサ部品と、前記第２のプレートに対して機械的に結合された第２のセンサ部品とを備えていることを特徴とする請求項１に記載の音波生成器。
【請求項３】
前記モーションセンサは、前記一つのセンサ部品と協働する基準部品を備え、前記基準部品は、好ましくは、前記一つのプレートから所定の距離を隔てて当該プレートと略平行に配置された第３のプレートであることを特徴とする請求項１に記載の音波生成器。
【請求項４】
前記少なくとも一つのセンサ部品は、対応するプレートに組み込まれていることを特徴とする請求項１に記載の音波生成器。
【請求項５】
前記フィードバック手段は、前記第２のプレートの少なくとも一部に対する前記第１のプレートの少なくとも一部の相対的な動きを表すフィードバック信号を生成するようになっていることを特徴とする請求項２に記載の音波生成器。
【請求項６】
前記フィードバック手段は、前記基準部品に対する前記プレートの少なくとも一部の相対的な動きを表すフィードバック信号を生成するようになっていることを特徴とする請求項３に記載の音波生成器。
【請求項７】
前記モーションセンサが静電センサであることを特徴とする請求項２に記載の音波生成器。
【請求項８】
前記第１及び第２のプレートがディスプレイ装置の前面プレート及び背面プレートをそれぞれ構成し、前記ディスプレイ装置が表示セルの配列を備え、前記各表示セルは、前記背面プレートに対して接続された第１の電極と、前記前面プレートに対して接続された第２の電極とを備え、前記二つの電極間に誘電媒体が配置され、前記モーションセンサは、前記ディスプレイ装置の少なくとも一つの表示セルの少なくとも一部を備える一体型のセンサであることを特徴とする請求項２に記載の音波生成器。
【請求項９】
前記音響トランスデューサ手段は、前記ディスプレイ装置の少なくとも一つの表示セルの少なくとも一部を備える一体型のトランスデューサ手段であることを特徴とする請求項８に記載の音波生成器。
【請求項１０】
前記一体型のモーションセンサは、前記表示セルからなる第１のグループを備え、前記一体型のトランスデューサ手段は、前記表示セルからなる第２のグループを備え、前記第１及び第２のグループが互いに異なっていることを特徴とする請求項９に記載の音波生成器。
【請求項１１】
前記ディスプレイ装置は、前記プレート間に複数のスペーサを備え、前記センサセルに対応する表示領域内における前記スペーサの密度は、前記表示領域外の部位内における前記スペーサの密度よりも小さいことを特徴とする請求項８に記載の音波生成器。
【請求項１２】
前記ディスプレイ装置は、前記二つのプレート間に配置された液晶層を備える液晶ディスプレイ装置であることを特徴とする請求項８に記載の音波生成器。
【請求項１３】
複数のセクションに分割され、前記各セクションは、一つの対応する音響トランスデューサ手段と、少なくとも一つの対応するフィードバック手段とを備え、一つの前記セクションの一つの前記音響トランスデューサ手段のための駆動信号は、対応する前記フィードバック手段からのフィードバック信号に基づいて生成されることを特徴とする請求項１に記載の音波生成器。
【請求項１４】
請求項１に記載の音波生成器と、
音響ドライバと、
を備え、前記音響ドライバは、
入力信号を受けるための信号入力部と、
前記フィードバック手段からフィードバック信号を受けるためのフィードバック入力部と、
前記音響トランスデューサ手段の入力部に対して結合された駆動出力部と、
を備え、
前記音響ドライバは、前記入力信号及び前記フィードバック信号に基づいて、修正された駆動信号をその駆動出力部において生成するようになっていることを特徴とする電子装置。
【請求項１５】
互いに所定の距離を隔てて略平行に配置された二つのプレートを備えるパネル状音波生成器を使用して音波を生成する方法において、
前記プレートの一方の少なくとも一部の、前記プレートの他方の少なくとも一部に対する相対的な動きを表すフィードバック信号を生成する過程を含むことを特徴とする方法。
【請求項１６】
前記フィードバック信号は、前記プレートに対して機械的に結合されたセンサ部品を有する静電モーションセンサを使用して生成されることを特徴とする請求項１５に記載の方法。
【発明の詳細な説明】
【技術分野】
【０００１】
本発明は、全体として、パネル状音波生成器に関する。特に、本発明は、ディスプレイ装置自体がラウドスピーカの機能を果たすことができ、それにより、別個のラウドスピーカを省くことができるように音響トランスデューサ手段が設けられた携帯電話、コンピュータ、テレビ等の電子装置において使用できるタイプの画像ディスプレイ装置に関する。しかしながら、本発明は、そのような装置に限定されず、装飾パネルも考えられる。
【背景技術】
【０００２】
パネル状音波生成器自体は既知である。これらの音波生成器は、少なくとも一つの平面プレートと、上記プレートを振動させることができる音響トランスデューサ手段とを備えている。そのような装置は、例えば米国特許第６，１９８，８３１号（特許文献１）に開示されるように、パネル状ラウドスピーカとして設計することができる。
【０００３】
また、例えば米国特許第５，８２８，７６８号（特許文献２）に開示されるように、ラップトップコンピュータにおける例えばＬＣＤ等の画像ディスプレイ装置をパネル状音波生成器として使用し、それにより、それがラウドスピーカの機能を果たすことができるようにすることも考えられる。この場合、音響トランスデューサ手段は、パネルの外側にあり、パネルのプレートのうちの一つに対して取り付けられた圧電素子を備えている。
【０００４】
国際公開第ＷＯ０２／０８２８５８号（特許文献３）は、一体型の音響トランスデューサ手段を有する画像ディスプレイ装置を開示している。参照することによって本願に組み込まれるこの文献は、特定のタイプの画像ディスプレイ装置の詳細なリストを与えている。上記文献において説明されているように、ディスプレイ装置は、互いに所定の距離を隔てて略平行に配置された二つの平面プレートと、表示セルからなる配列とを備えており、各表示セルは、前面プレートに対して接続された第１の電極と、背面プレートに対して接続された第２の電極とを備え、上記二つの電極間に誘電媒体が配置されている。上記電極に対して電圧が印加されると、これらの電極は互いに静電力を及ぼし合う。この電圧が交流電圧である場合、パネルディスプレイ装置の前面パネル及び背面パネルに振動が引き起こされる。音響範囲（約２０Ｈｚ乃至２０ｋＨｚ）において振動を引き起こす場合、必要な駆動周波数は、画像を表示するために必要な信号周波数よりもかなり低い。
【０００５】
一般に、音響再生システムにおいては、フィードバック機能を有していることが望ましい。音響ドライバは、生成される音波を表す入力信号を受けて、音響トランスデューサ手段を駆動するための駆動信号を生成する。フィードバック手段は、音波生成器の性能を示すフィードバック信号を生成し、このフィードバック信号は、音響ドライバに送り戻される。音響ドライバは、フィードバック信号と期待される性能とを比較し、それに応じて駆動信号を調整する。
【０００６】
米国特許第５，８２８，７６８号に記載されたシステムは、そのようなフィードバック機能を備えている。この場合、フィードバック信号を生成するフィードバック手段は、音波生成器によって形成される音を拾い上げる別個のマイクロフォンを備えている。そのような実施は不利である。
【特許文献１】米国特許第６，１９８，８３１号公報
【特許文献２】米国特許第５，８２８，７６８号公報
【特許文献３】国際公開第ＷＯ０２／０８２８５８号パンフレット
【発明の開示】
【発明が解決しようとする課題】
【０００７】
一つの欠点は、マイクロフォンに基づくフィードバック信号の遅延が比較的大きいという事実である。
【０００８】
他の欠点は、マイクロフォンが付加的な構成部品であり、それにより、スペースを必要とするという事実である。特に例えば携帯電話等の小型の電子装置においては、構成部品の数をできる限り減少させることが望ましい。
【０００９】
更なる欠点は、マイクロフォンも望ましくない音響信号（例えばノイズ）を拾い上げてしまう場合があるという事実である。
【課題を解決するための手段】
【００１０】
本発明の全体としての目的は、前述した欠点を排除し又は少なくとも低減することである。本発明は、独立請求項によって規定されている。従属請求項は、有利な実施の形態を規定している。
【００１１】
本発明の重要な態様において、音波生成器は、少なくとも一つのプレートと、上記プレートに対して機械的に結合された少なくとも一つのセンサ部品を有するモーションセンサを備えるフィードバック手段とを備えている。従って、別個のマイクロフォンを省くことができる。フィードバック手段は、振動するプレートの動きを直接に測定することができる。
【００１２】
本発明の更なる重要な態様において、音波生成器は、互いに所定の距離を隔てて略平行に配置された少なくとも二つのプレートを備えるとともに、フィードバック手段は静電モーションセンサを備え、静電モーションセンサは、第１のプレートに接続された第１の電極と、第２のプレートに接続された第２の電極とを備えている。プレートが互いに対して振動すると、上記電極上に電気信号が発生される。
【００１３】
本発明の特定の実施の形態において、二つのプレートは例えばＬＣＤ等のディスプレイ装置の一部であり、このディスプレイ装置は表示セルからなる配列を備え、各表示セルは、前面電極と背面電極とを備えている。この場合、フィードバック手段は、ディスプレイ装置の表示セルのうちの少なくとも一つを備えている。本発明のこの特定の実施の形態は、平面ディスプレイ装置が一体型の静電モーションセンサとして使用できるセルを備えているという見識に基づいている。この点において、本発明の見識は、電気信号によって機械的な力が生じるという国際公開第ＷＯ０２／０８２８５８号の発明の見識と異なっている。
【００１４】
本発明のこれらの態様及び他の態様、特徴、利点を、図面に関連する以下の説明によって更に述べる。図中、同じ参照符号は、同一又は類似の部分を示している。
【発明を実施するための最良の形態】
【００１５】
図１Ａは、本発明に係るパネル状音波生成器１Ａの第１の実施の形態の概略断面である。音波生成器１Ａは、互いに僅かな距離Ｄだけ離間して略平行に配置された第１の平面プレート２及び第２の平面プレート３を備えている。プレートを所望の距離に保持するための装着・分離手段は、簡単のため図示されていない。また、音波生成器１Ａは、第１の平面プレート２に対して取り付けられた音響トランスデューサ４、例えば圧電素子を更に備えている。トランスデューサ４は、駆動信号ＳＤを受けると、機械的な力を第１のプレート２に対して及ぼし、それにより、少なくとも第１のプレート２が振動する。
【００１６】
音波生成器１Ａはフィードバック手段１０を更に備えており、このフィードバック手段１０は、プレート２，３のそれぞれの互いに対向する平面上に取り付けられた第１の電極１１及び第２の電極１２を有する一体型のモーションセンサ９を備えている。以下では、これらの平面を内面と称する。また、以下では、反対側の面のそれぞれを外面と称する。
【００１７】
図示の実施の形態において、電極１１，１２は、トランスデューサ４の場所と異なる場所に配置されているが、このようにする必要はない。
【００１８】
フィードバック手段１０は信号生成器１３を更に備えており、この信号生成器１３は、電極１１，１２に対して電気的に結合された入力部を有するとともに、電極１１，１２の互いに対する相互距離、従って、プレート２，３同士の距離、又は、少なくとも電極が配置されたプレート部位同士の距離に関連する信号ＳＡを生成する出力部を有している。
【００１９】
電極１１，１２は、互いに静電結合されており、電極１１，１２の互いに対する変位を感知する静電センサ９を協働して形成している。この変位は、電気信号に変換することができるとともに、それ自体既知の方法で信号生成器１３により処理することができる。例えば、電極１１，１２が一定の電圧差に保持されると、プレート２，３の表面に対して垂直な方向での電極の相対的な移動により、電流が生じる。尚、静電モーションセンサはそれ自体既知であるため、ここでは、静電モーションセンサの更に詳細な説明は省略する。
【００２０】
尚、センサ９は、電極１１，１２の互いに対する動きを感知し、また、センサ信号は、電極１１，１２の互いに対する相互の速度及び相互の加速度（即ち、相互距離の一次導関数及び二次導関数）に関する情報を含んでいる。信号生成器１３は、例えば速度情報のみを含むような若しくは加速度情報のみを含むような又はこれらの両方の情報を含むような出力信号を選択的に生成すべく形成されていてもよい。
【００２１】
尚、電極１１，１２は互いに電気的に絶縁されていなければならない。プレート２，３が非導電材料によって形成されている場合には、この要件が満たされる。プレート２，３が導電材料によって形成されている場合には、電極とプレート２，３のそれぞれとの間に絶縁手段を設けなければならない。また、プレート２，３は、サイズが同じであることが好ましいが、サイズが異なっていてもよい。
【００２２】
図１Ｂは、平面状音波生成器１Ｂの第２の実施の形態を示す図１Ａに相当する断面図である。音波生成器１Ｂは、この場合には第２のプレート３の外面に取り付けられた電極１４と、第２のプレート３から僅かな距離をおいて第２のプレート３と略平行に配置された第３のプレート５とを備えるモーションセンサ９が設けられている点を除き、第１の音波生成器１Ａと類似している。図示の実施の形態において、第３のプレート５自体は、導電性を有しており、電極としての機能を果たす。又は、第３のプレートは、別個の電極を支持していてもよいが、これについては図示しない。
【００２３】
尚、第３のプレート５は、上記電極１４と協働すべく適切に配置された任意の適当な基準対象物に取って代えられてもよい。また、音波生成器は、必ずしも二つのプレートを有している必要はない。即ち、別個の基準対象物５の場合、音波生成器は、一つのプレート３のみを有していれば十分である。この場合、トランスデューサ４は、この一つのプレート３と係合するように配置されていなければならない。
【００２４】
図示の実施の形態において、第３のプレート５は電極１４よりも大きいが、このようにする必要はない。また、電極１４は、第２のプレート３の外面上に取り付けられている必要はなく、第１のプレート２の外面上即ちトランスデューサ４が配置されている面と同じ面上に配置されていてもよい。これは、第１のプレート２と第２のプレート３との間の機械的な結合が弱く、それにより、トランスデューサ４によって引き起こされる第１のプレート２の振動が第２のプレート３に対して伝わらず又は十分には伝わらず、その結果、第２のプレート３の振動がフィードバック信号のための良好な発生源とならない場合において特に好ましい。
【００２５】
図１Ａ，図１Ｂの実施の形態において、プレートは、基本的に、任意の構造を有していてもよい。特に好ましい実施の形態においては、プレート２，３がそれぞれディスプレイ装置の背面プレート及び前面プレートであり、上記ディスプレイ装置は表示セルの配列を備えるとともに、各表示セルは、上記前面プレートに対して接続された第１の電極と、上記背面プレートに対して接続された第２の電極とを備え、上記二つの電極間には誘電媒体が配置されている。そのような実施の形態において、電極１１，１２は、ディスプレイ装置の少なくとも一つの表示セルのセル電極を構成している。
【００２６】
ディスプレイ装置はそれ自体既知であるため、ここでは、ディスプレイ装置の構造及び動作の詳細な説明を与える必要はない。参照することにより本願に組み込まれる国際公開第ＷＯ０２／０８２８５８号は、様々なタイプのディスプレイ装置のリストを与えており、その総ては、基板プレートの対向面上にセル電極が配置された表示セルを有しており、これらのタイプのディスプレイ装置の総てを本発明に係る音波生成器において使用することができる。
【００２７】
図２は、ディスプレイ装置１００内に設けられるパネル状音波生成器１０１の好ましい実施の形態の図１Ａに相当する断面図であり、ディスプレイ装置１００は、適当な材料、例えばガラス等の硬質材料からなり且つ僅かな相互距離Ｄを隔てて互いに略平行に配置された背面プレート１０２及び前面プレート１０３を備えている。プレート１０２，１０３間には誘電材料１０４が配置されている。この誘電材料１０４は、空気を含む任意の適当な材料であってよい。典型的な実施の形態においては、ディスプレイ装置１００がＬＣＤであってもよく、その場合、誘電材料１０４は液晶を構成している。ディスプレイ装置１００は複数の表示セル１１０を備えており、各表示セル１１０はプレート１０２，１０３のそれぞれの内面上に配置された一対の電極１１１，１１２を備えている。各電極は透明な導電膜によって形成されている。異なるセル１１０の二つ以上の電極１１１又は１１２が組み合わされることにより、一つの共通の電極が形成されてもよいが、これについては図示しない。個々のセル１１０をアドレス指定するための導電トラックは、同様に透明な導電膜によって形成されており、参照符号１１３により概略的に示されている。各セル１１０には、関連する切り換え手段、例えば薄膜トランジスタが設けられていてもよいが、これは簡単のため図面に示されていない。
【００２８】
尚、ディスプレイ装置はそれ自体既知であるため、ここでは、様々なタイプのディスプレイ装置の構成及び動作の更に詳細な説明については省略する。図２には、そのような表示セルのうちの二つが、対応する参照符号に添字Ａ又はＢを付け加えることにより互いに区別して示されている。表示機能を果たすために総ての表示セルが使用されてもよいが、これについては図示しない。しかしながら、総ての表示セルがその光表示機能のために実際に使用される必要はなく、表示セルのいずれもが光学活性されないことも考えられる。その場合には、ディスプレイがラウドスピーカとしての機能を果たす。
【００２９】
図２の好ましい音波生成器１０１は、一体型の音響トランスデューサ１４０を備えており、この音響トランスデューサ１４０は、表示セル１１０からなる第１のグループ１４１を備えている。以下、この第１のグループ１４１に属するセル１１０をトランスデューサセル１１０Ａとも称する。トランスデューサセル１１０Ａには、電気的な駆動信号ＳＤが印加される。総てのトランスデューサセル１１０Ａが同じ駆動信号ＳＤを受信してもよいが、トランスデューサセル１１０Ａがサブグループに編成され、各サブグループ内のセルは同じ駆動信号を受けるが、異なるサブグループ内のセルは異なる駆動信号を受け、それにより、音波ビームの収束及び方向等の特定の所望の音響特性を得ることも考えられる。尚、表示セルを音響トランスデューサとして使用すること自体は既知であり、これに関して国際公開第０２／０８２８５８号を参照されたい。従って、この態様についてはここでは更に詳しく説明しない。
【００３０】
図２の好ましい音波生成器１０１は、一体型のモーションセンサ９を備えており、このモーションセンサ９は表示セル１１０からなる第２のグループ１１９を備えている。以下、この第２のグループ１１９に属するセル１１０をセンサセル１１０Ｂとも称する。モーションセンサ９は、セル電極１１１Ｂ，１１２Ｂ同士の相対的な動きを表すフィードバック信号ＳＡを生成するための図１Ａ及び図１Ｂに関連して説明したものと同様のフィードバック手段１０の一部である。尚、トランスデューサセルとしても使用されず、センサセルとしても使用されない表示セル１１０が存在していてもよいが、特定の実施の形態においては、総ての表示セルがトランスデューサセル又はセンサセルのいずれかとして使用され、それにより、トランスデューサセル１１０Ａからなる第１のグループ１４１とセンサセル１１０Ｂからなる第２のグループ１１９とが互いに補完し合う。
【００３１】
図３は、本発明に係る平面音波生成器１０１を備える音響再生システム等の電子装置２００を概略的に示すブロック図である。図は、トランスデューサセル１１０Ａからなる少なくとも一つのサブグループ２４１とセンサセル１１０Ｂからなる少なくとも一つのサブグループ２１９とを有するディスプレイ１００の一部を概略的に示している。コントローラＣは、センサセル１１０Ｂからフィードバック信号ＳＡを受けるとともに、予測信号ＳＰを計算する。例えばオペアンプ等の差動増幅器として設けられる音響ドライバＡＤは、入力信号ＳＩＮを受ける信号入力部と、コントローラＣから予測信号ＳＰを受けるフィードバック入力部とを有している。音響ドライバＡＤは、入力信号ＳＩＮと予測信号ＳＰとの間の差を計算するようになっており、上記差は、トランスデューサセル１１０Ａを駆動するための駆動信号ＳＤとして使用される。
【００３２】
必要に応じて、例えば、パネルの複雑な振動パターン等に起因してセンサセル１１０Ｂからの出力信号ＳＡがプレート１０２，１０３の対応する領域の動きを十分に良く表していない場合、コントローラＣには、予測信号ＳＰを修正するためのルックアップテーブル（図示せず）等が設けられていてもよい。
【００３３】
図４は、本発明の音波生成器１０１の好ましい実施の形態を示すためのディスプレイ１００の概略正面図である。この好ましい実施の形態において、ディスプレイ１００は、複数の表示セクション１５０に分割されている。図４の実施の形態においては、表示セクションの数が四つであり、これらの表示セクションには、それぞれ参照符号１５０Ａ，１５０Ｂ，１５０Ｃ，１５０Ｄが付されている。各表示セクション１５０は、対応するトランスデューサ、例えば圧電素子、又は、好ましくは図２に関連して説明したトランスデューサセル１１０Ａからなるグループを備える一体型の音響トランスデューサ１４０を有している。各表示セクション１５０は、表示セル１１０がセンサセル１１０Ｂとして使用される比較的小さい領域１５１を有している。以下、この小さな領域１５１をセンサ領域と称する。駆動信号は、各表示セクション１５０毎に対応する音響ドライバＡＤＡ乃至ＡＤＤにより個別に生成される。各表示セクション１５０Ａ，１５０Ｂ，１５０Ｃ，１５０Ｄにおいて、センサ領域１５１Ａ，１５１Ｂ，１５１Ｃ，１５１Ｄは、対応する入力信号Ｓｉｎ，Ａ乃至Ｓｉｎ，Ｄに基づいて、対応する音響トランスデューサ１４０Ａ，１４０Ｂ，１４０Ｃ，１４０Ｄのそれぞれのための個々の駆動信号ＳＤ，Ａ，ＳＤ，Ｂ，ＳＤ，Ｃ，ＳＤ，Ｄをそれぞれ生成するために使用される個々のセクションフィードバック信号ＳＡ，Ａ，ＳＡ，Ｂ，ＳＡ，Ｃ，ＳＡ，Ｄをそれぞれ生成する。
【００３４】
図４においては、異なる表示セクション１５０における入力信号ＳＩＮが異なるように示されているが、これらの信号は互いに同一であってもよい。
【００３５】
尚、図４では、明確にするため、一体型の音響トランスデューサ１４０が対応する表示セクション１５０の僅かな部分だけを占めるように示されている。しかしながら、一体型の音響トランスデューサ１４０は、実際には、対応するセンサ領域１５１と補完し合っていてもよい。
【００３６】
簡単のため図示されていない変形例において、各表示セクション１５０は、対応する表示セクション内の異なる位置から動き情報を得るために、複数のセンサセル領域１５１を備えていてもよい。動作時、表示セクション１５０の個々のセンサセル領域１５１からのフィードバック信号は、表示セクション１５０全体の動きの良好な尺度を得るために平均化されてもよい。
【００３７】
当業者に知られているように、ディスプレイ装置１００のプレート１０２，１０３は、プレート１０２，１０３間に配置されたスペーサ１０５により、相互距離を隔てて保持されている。図２には、これらのスペーサ１０５がバーで示されている。好ましい実施の形態においては、センサセル領域１５１の剛性を低下させるため、センサセル領域１５１は、スペーサ１０５の数が減少させられており、又は、そのようなスペーサを有さない。
【００３８】
当業者であれば分かるように、本発明は、前述した典型的な実施の形態に限定されず、添付の請求項に規定された本発明の保護範囲内においていくつかの変形及び改良が可能である。
【００３９】
例えば、静電モーションセンサ９の電極は、互いに対向してプレート表面上に配置されている必要はないが、そのようにすることが好ましい。例えば、図１Ａに関して、電極１１，１２は、プレート２，３の外面上に配置されていてもよい。また、図１Ｂに関して、電極１４は、プレート３の内面上に配置されていてもよい。
【００４０】
また、プレートは任意の構造を有していてもよい。プレートは平坦であることが好ましいが、これは本発明との関連では絶対不可欠なことではない。更に、プレートは、等しいサイズを有していてもよく、また、パネル状音波生成器が矩形状の外形をなすように矩形状の外形を有していてもよい。しかしながら、プレートは、例えば三角形等の異なる外形を有していてもよく、又は、湾曲した辺を有していてもよく、円形であっても構わない。また、プレートは、ガラス等の硬質材料からなっていてもよいが、パネル状音波生成器を折り曲げたり丸めたりすることができるように薄いプラスチック等のごとく柔軟であってもよい。
【００４１】
前述したように、好ましい実施の形態においては、パネル状音波生成器がディスプレイ装置内に組み込まれる。ディスプレイ装置は、液晶材料を備える液晶ディスプレイ装置であってもよく、その液晶層は、例えば、撓電液晶材料（フレキソエレクトリック液晶材料）、又は、コレスティック液晶材料、又は、強誘電性液晶材料を含んでいてもよい。
【００４２】
また、ディスプレイ装置は、上記二つのプレート間に配置されたエレクトロクロミック材料を備えるエレクトロクロミックディスプレイ装置であってもよい。上記エレクトロクロミック材料は、所定の電流又は電位に応じて色を切り換えることができるという特性を有している。
【００４３】
また、ディスプレイ装置は、上記二つのプレート間に配置された電気泳動材料を備える電気泳動ディスプレイ装置であってもよい。
【００４４】
また、ディスプレイ装置は、上記二つのプレート間に配置された発光材料を備える発光ディスプレイ装置であってもよい。
【００４５】
また、ディスプレイ装置は、上記二つのプレート間に配置された有機発光材料を備える有機ディスプレイ装置であってもよい。
【００４６】
また、ディスプレイ装置は、電界放出ディスプレイ装置であってもよい。
【００４７】
また、ディスプレイ装置は、ホイルディスプレイ装置であってもよい。
【００４８】
また、ディスプレイ装置は、プラズマディスプレイ装置であってもよい。
【００４９】
また、ディスプレイ装置はプラズマアドレス液晶ディスプレイ装置であってもよい。
【００５０】
本発明の音波生成器は、電子装置の一部であることが有益である。そのような電子装置は、例えば、音響再生システム又は携帯電話又は映像スクリーン又は装飾パネル又はラウドスピーカ装置であってもよい。
【００５１】
尚、前述した実施の形態は、本発明を限定するものではなく例示的なものであり、当業者であれば、添付の請求項の範囲から逸脱することなく多くの他の実施の形態を構成することができる。請求項中において、括弧内の任意の参照符号は、請求項を限定するものと解釈すべきではない。動詞「備える、含む（ｃｏｍｐｒｉｓｅ）」及びその活用形の使用は、請求項中に記載された要素又は過程以外の要素又は過程の存在を排除するものではない。要素に先行する冠詞「一つの（ａ）」は、そのような要素の複数の存在を排除するものではない。本発明は、いくつかの異なる要素を備えるハードウェアによって、また、適切にプログラムされたコンピュータによって実施されてもよい。いくつかの手段を列挙する装置の請求項において、これらの手段のうちのいくつかは、ハードウェアの一つの同一のアイテムによって具現化されていてもよい。特定の手段が互いに異なる従属請求項に記載されているという単なる事実は、これらの手段の組み合わせを都合良く使用できないことを示唆するものではない。
【図面の簡単な説明】
【００５２】
【図１Ａ】本発明に係るパネル状音波生成器の第１の実施の形態の概略断面図である。
【図１Ｂ】本発明に係るパネル状音波生成器の第２の実施の形態の概略断面図である。
【図２】ディスプレイパネルにおいて設けられる本発明に係るパネル状音波生成器の好ましい実施の形態の概略断面図である。
【図３】音波生成器のフィードバック機能を概略的に示すブロック図である。
【図４】本発明の音波生成器が設けられるディスプレイの概略正面図である。
2007519292.tif 000003
【図２】
2007519292.tif 000004
【図３】
2007519292.tif 000005
【図４】
2007519292.tif 000006
【国際調査報告】
2007519292.tif 000007
2007519292.tif 000008
2007519292.tif 000009